(57)【要約】【目的】筆記軸横のスライド式操作部によって筆記部を出没操作する筆記用具において、スライド式操作部に対する操作で筆記軸内に仕込んだ手品などに用いる布製のマジックフラワー部材を自在に出し入れする新製品を提案する。【構成】筆記軸２横に設けたスライド式操作部４によって筆記部３を出没操作するボールペンやシャープペンシルといった筆記具１において、標準位置６から上下に延ばされたガイド部５に沿ってスライド式操作部４を下方にスライド移動させて筆記部３を突出操作すると共に標準位置６よりも上方へもスライド移動させることで筆記軸２上部に収納された布製のフラワー形状部材８が筆記軸上端の蓋部体９を押し開けて突出し拡がるものとされている。【選択図】            図１
0003104908.tif 000002
【実用新案登録請求の範囲】
【請求項１】
筆記軸横に設けたスライド式操作部によって筆記部を出没操作するボールペンやシャープペンシルといった筆記具において、標準位置から上下に延ばされたガイド部に沿ってスライド式操作部を下方にスライド移動させて筆記部を突出操作すると共に標準位置よりも上方へもスライド移動させることで筆記軸上部に収納された布製のフラワー形状部材が筆記軸上端の蓋部体を押し開けて突出し拡がるものとされていることを特徴とするマジックフラワー筆記用具。
【考案の詳細な説明】
【技術分野】
【０００１】
本考案は、筆記軸横に備えたスライド式操作部によって筆記部の出没操作を行うボールペンやシャープペンシルといった筆記用具において、該スライド式操作部に対する操作で筆記軸内に仕込んだ手品などで用いる布製のマジックフラワー部材を自在に出し入れすることができる新規な筆記用具を提案するものである。
【背景技術】
【０００２】
筆記軸横にスライド式操作部を備えて筆記部を出没操作する各種筆記用具は広く市販されているところである。すなわち、ボールペンやシャープペンシルとして筆記軸上端部に各種のマスコットキャラクターを取り付けたりすることで、従前のノック操作が困難になってしまう場合などに採用される手法である。
【０００３】
また、筆記軸横のスライド式操作部に対する筆記部の出没操作に起因する動きを利用して取付けたマスコットキャラクターの所定箇所をに可動変化させて娯楽性を高めるような提案もなされ、実際の製品が市販されている。
【０００４】
マスコットキャラクターの可動変化は意外性があり娯楽性を高めるという付加価値があるものとして購入者に訴求するセールスポイントであり、多様な可動形態が提案されている。
【０００５】
また、スライド操作に起因してマスコットキャラクター自体が見え隠れするような構造を採ったものも以下の特許文献に示す如きが提案されている。
【特許文献１】登録実用新案第３０７６５２８号公報
【考案の開示】
【考案が解決しようとする課題】
【０００６】
上記のような既存技術のものは、筆記部出没操作のためのスライド操作を利用してマスコットキャラクターの可動変化などを実現しているが、この可動変化は筆記部の出没操作と切り離して行うことができない。つまり、筆記軸横のスライド操作部に筆記軸出没のため以外の操作を許容して、これにより別種の可動変化を実現するといったことはなされていないのである。
【課題を解決するための手段】
【０００７】
本考案は、上記のような課題を解消することに関して検討を重ねて創案されたものであり、筆記軸横のスライド操作部に筆記部出没のため以外の操作も行えるものとし、簡易な構成で従来にない意外性のない可動変化を実現したものであって、具体的には以下の如くである。
【０００８】
（１）  筆記軸横に設けたスライド式操作部によって筆記部を出没操作するボールペンやシャープペンシルといった筆記具において、標準位置から上下に延ばされたガイド部に沿ってスライド式操作部を下方にスライド移動させて筆記部を突出操作すると共に標準位置よりも上方へもスライド移動させることで筆記軸上部に収納された布製のフラワー形状部材が筆記軸上端の蓋部体を押し開けて突出し拡がるものとされていることを特徴とするマジックフラワー筆記用具。
【実施例】
【０００９】
このような本考案によるものの具体的な実施形態の若干例を添付図面に示すところに従って説明する。
すなわち、図１は本考案の筆記用具１についてその動作の様子を示すものである。
【００１０】
ここで、本考案の筆記用具１の筆記軸２には筆記部３を出没操作するためのスライド式操作部４が備えられており、筆記軸２の上下方向に形成されたガイド部５に沿って上下移動できるようにされている。
【００１１】
筆記部３の出没操作を行わない状態においては、スライド式操作部４は上下方向に延ばされたガイド部５の中間にある標準位置６に位置するようになっている。筆記作業のために筆記部３を突出させる場合には、スライド式操作部４を下方に移動させガイド部５の下端部において適宜なロック機構７により固定されるようになっている。
【００１２】
また、筆記部３を筆記軸２内に収容する場合には、ロック機構７を解放すれば良く、これによってスライド式操作部４は当初の標準位置６に復帰することになる。このようなスライド式操作部４による筆記部３の出没操作を実現するための構造は公知のボールペンやシャープペンシルで使用されているものと基本的に相違はないものである。
【００１３】
本考案においては、スライド式操作部４はガイド部５に沿って、標準位置６よりも更に上方に移動できるようにされている。このような上方への移動によって筆記軸上半分部２ａ内に収容されているマジックフラワー部材８が筆記軸２の上端の蓋部材９を押し開けて突出するようにされている。
【００１４】
マジックフラワー部材８は布などの柔らかな素材によって形成されているもので、筆記軸上半分部２ａ内に収容されている場合には小さくつぼんだ状態であるが、筆記軸２の上端部から突出されると大きく拡がるようになっている。ここで用いる布としては、小さく畳んでも皺になり難く、しかも筆記軸２の上端から解放された際には大きく拡がることができるしなやかな素材を採用することが望ましい。
スライド式操作部４をガイド部５の上端から標準位置６まで戻してやると、突出して拡がった布製のマジックフラワー部材８も再び筆記軸上半分部２ａ内に収容され、筆記軸２の上端の蓋部材９も閉じられることになる。
【００１５】
図２は、上記してきた本考案の筆記用具１の内部構造を断面図的に表現したものである。ここで、布製のマジックフラワー部材８は筆記軸上半分部２ａ内の取付部材９に適宜に取付けるものであり、任意に交換可能なものとすることも可能である。
また、スライド式操作部４の上方へのスライド操作によって確実に筆記軸２の上端の蓋部材９が開かれるように、取付部材１０は傾斜部１１として形成し、その一端が突部１２となるようにすべきである。これによって筆記軸２上端の蓋部材９の開閉はスムーズに行われるようになるものである。
【００１６】
また、筆記軸２内でスライド式操作部４の下方から標準位置６への復帰力を与えるスプリングの強さなどを調整して、筆記部３を突出した状態におけるロック機構７の解放によって一気にスライド式操作部４がガイド部５の上端まで移動して勢い良く布製のマジックフラワー部材８が突出し拡がるようにすることも可能である。
【００１７】
本考案における布製のマジックフラワー部材８としては、単に花の形状だけでなく葉や茎などの形状部材と組合わせても良い。取付部材１０に取付けて筆記軸上半分部２ａへの収容と筆記軸２上端からの突出という動作がスライド式操作部４による操作によって繰り返し確実に行えるのであれば、さまざまな形状や大きさのものが採用できるものである。
【００１８】
また、図示においては筆記軸２の上端に植木鉢形状部材１３を備えさせ、この上端蓋部材９を開いて布製のマジックフラワー部材８が突出されるデザインとなっているが、このようなデザインが必須なわけではなく、例えば、手品の小道具であるマジックステッキの先端形状などのデザインを採用しても構わないものである。
【００１９】
以上説明したように本考案の筆記用具によれば、筆記部の出没操作を行うスライド式操作部に対する別種の操作によって該出没操作とは別の可動変化を意外性のある形態で簡易に実現することができるものであって、需要者の興味を惹く新製品として産業上の利用可能性の高い考案である。
【図面の簡単な説明】
【００２０】
【図１】本考案の筆記用具における布製のマジックフラワー部材の可動変化の状況を示した図面である。
【図２】本考案の筆記用具の内部構造を断面図的に説明した図面である。
【符号の説明】
【００２１】
１    本考案による筆記用具
２    筆記軸
２ａ    筆記軸上半分部
３    筆記部
４    スライド式操作部
５    ガイド部
６    標準位置
７    ロック機構
８    布製のマジックフラワー部材
９    蓋部材
１０    取付部材
１１    傾斜部
１２    突部
１３    植木鉢形形状部                                                   
【図１】
0003104908.tif 000003
【図２】
0003104908.tif 000004